(57)【要約】【課題】吹出口からの空気の吹出しによるエエアカーテン機能と表示手段による表示機能とを備えた構成において、表示手段によりエアカーテン機能が損なわれることがない遊技場用台毎装置を提供する。【解決手段】遊技台に対応して設けられる台毎装置３の吹出口８はスリット状に形成されていると共に表示部１８の上方に設けられている。ファンの駆動により吹出口８から空気が吹出されると、装置本体６の前方にエアカーテンが前方方向から前方下方向に向かって形成される。ここで、吹出口８は、表示部１８に対して対応する遊技台側にずれて設けられているので、吹出口８からの吹出しにより形成されるエアカーテンを表示部１８で邪魔されることなく確実に形成することができる。【選択図】図１
2008086342.tif 000002
【特許請求の範囲】
【請求項１】
並設された遊技台に対応するように遊技台間に設けられる遊技場用台毎装置において、
前記遊技台の遊技情報を入力する入力手段と、
前記装置本体の前面よりも前方に突出して設けられ、前記入力手段が入力した遊技情報に基づいて遊技情報を表示する表示手段と、
送風手段と、
この送風手段が送風する空気により前記装置本体の前面にエアカーテンを形成する吹出口とを備え、
前記表示手段は、前記装置本体に対して対応する遊技台と反対側へ傾いて設けられ、
前記吹出口は、エアカーテンの形成位置が前記表示手段と重ならないように前記表示手段よりも対応する遊技台側にずれて設けられていることを特徴とする遊技場用台毎装置。
【請求項２】
前記吹出口は、前記表示手段と高さ方向に重ならない位置に設けられ、
前記通風路は、前記表示手段側となる端部に当該表示手段側に傾斜する傾斜部を有して構成され、
前記吹出口から吹出される空気を前記表示手段側へも吹出すようにしたことを特徴とする請求項１記載の遊技場用台毎装置。
【請求項３】
前記吹出口は、その一部或いは全部が高さ方向に長尺なスリット状に形成されていると共に、そのスリット形状に形成された前記吹出口の一部或いは全部における前記対応する遊技台に対する反対側の端が、前記表示手段の前方方向に対する中心よりも前記対応する遊技台側にあることで前記表示手段よりも前記対応する遊技台側にずれて設けられていることを特徴とする請求項１または２記載の遊技場用台毎装置。
【請求項４】
前記吹出口は、前記遊技台で使用される遊技媒体を遊技者に貸出すために前記遊技台に対応して設けられる遊技媒体貸出装置に投入可能な硬貨のうち最小な硬貨の直径よりも小さな間隔で高さ方向に仕切る仕切部を有して構成されていることを特徴とする請求項３記載の遊技場用台毎装置。
【発明の詳細な説明】
【技術分野】
【０００１】
本発明は、エアカーテン機能と表示機能を備えた遊技場用台毎装置に関する。
【背景技術】
【０００２】
遊技店では、遊技者が隣り合って遊技を行うため、遊技者が喫煙すると、隣の遊技者に対して煙草からの伏流煙が流れていき、隣の遊技者が不快な思いをすることがある。このような問題を解消するために、特許文献１のものでは、遊技台間に台毎空気清浄装置を設けることを提案している。
【０００３】
他方、遊技店では、遊技台間に台毎情報表示装置を設け、遊技者に対して遊技情報などの各種情報を提供している（特許文献２参照）。
【特許文献１】特開平１０−１５２２０号公報
【特許文献２】特開平１１−２３９６６２号公報
【発明の開示】
【発明が解決しようとする課題】
【０００４】
遊技者に対するサービスを行う上で、台毎空気清浄装置と台毎情報表示装置の両方を遊技台間に備えることが理想的であるが、遊技台間には遊技媒体貸出装置が設けられるのが一般的であることから、遊技台毎に、台毎空気清浄装置、台毎情報表示装置、遊技媒体貸出装置の全てを設置することを想定すると、遊技台島の横幅は一定であるため、これらの台間装置により設置可能となる遊技台数が減少してしまう。
【０００５】
そこで、エアカーテン機能及び情報表示機能の両者を備えた台毎装置を提供することが考えられるが、台毎情報表示装置は、特許文献２に記載されているように、表示部を装置本体よりも前方に突出させ、さらに遊技者から視認しやすいように表示部を装置本体の前方方向に対して傾き可能とすることにより利便性を高めているので、エアカーテン機能を高めるために広範囲（例えば高さ方向）に空気を吹出すと、表示部が障害物となり、十分なエアカーテン機能を発揮できない虞がある。
【０００６】
本発明は上記事情に鑑みてなされたもので、その目的は、吹出口からの空気の吹出しによるエアカーテン機能と表示手段による表示機能とを備えた構成において、表示手段によりエアカーテン機能が損なわれることがない遊技場用台毎装置を提供することにある。
【課題を解決するための手段】
【０００７】
請求項１の発明によれば、入力手段が遊技台の遊技情報を入力すると、装置本体の前面よりも前方に突出する表示手段により遊技情報が表示される。また、送風手段が駆動されると、吹出口から空気が吹出されるので、装置本体の前面にエアカーテンが形成される。
ここで、表示手段は、装置本体に対して対応する遊技台と反対側へ傾いて設けられていると共に、吹出口は、エアカーテンの形成位置が表示手段と重ならないように表示手段よりも対応する遊技台側に設けられているので、表示手段がエアカーテンの形成に邪魔となることはない。これにより、吹出口からの空気の吹出しによるエアカーテン機能と表示手段による表示機能とを設けながら、表示手段によりエアカーテン機能が損なわれることを防止できる。
【０００８】
吹出口から吹出される空気は、装置本体の前方方向に吹出されることから、装置本体の横幅を短く設定するために、表示手段と吹出口とを高さ方向に重ならない位置に設けた場合、吹出口からの空気が装置本体の前方方向に吹出され、表示手段側に向かってエアカーテンを形成することができない。そこで、請求項２の発明によれば、通風口には表示手段側に傾斜する傾斜部が設けられており、吹出口から吹出される空気が表示手段側にも吹出されるので、表示手段と吹出口とを高さ方向に重ならない位置に設けるにしても、吹出口からの空気を表示手段側にも吹出すことができる。
【０００９】
請求項３の発明によれば、吹出口をスリット状に形成したことにより、吹出口から吹出される風圧を高めることができるので、遊技台間にエアカーテンを効率よく形成することができる。
【００１０】
請求項３のように吹出口をスリット状に形成した場合、遊技者が遊技媒体貸出装置への貨幣の投入と間違えて、吸込口に貨幣を投入しようする虞を生じるものの、請求項４の発明によれば、吸込口は、遊技媒体貸出装置に投入可能な硬貨のうち最小な硬貨の直径よりも小さな間隔で高さ方向に仕切部で仕切られているので、吸込口へ貨幣が投入されることを確実に防止できる。
【発明を実施するための最良の形態】
【００１１】
以下、本発明の一実施例について図面を参照して説明する。
図３は、システム全体の構成を概略的に示す図である。この図３において、遊技台島にはパチンコ機或いはパチスロ機などの遊技台１が設置されている。これらの遊技台１間には台間玉貸機（遊技媒体貸出装置に相当）２及び台毎装置３が設置されていると共に、各遊技台１に対応して中継装置４が遊技台島内に設置されている。尚、遊技台１の前面下部左側には灰皿１ａが設けられている。
【００１２】
中継装置４は、対応する遊技台１から出力される各種信号、及び台間玉貸機の売上信号を管理装置５に出力すると共に、管理装置５からの各種情報、或いは遊技台１側から入力した各種信号に基づいて集計した遊技情報を台毎装置３に出力するＩ/Ｏ(Input/Output)の機能を有する。
管理装置５は、各台間玉貸機２の売上を管理すると共に、各遊技台１の稼動状態を管理するようになっており、それらの管理情報に基づいて遊技場の経営を管理するための各種データを集計するようになっている。
【００１３】
図４は台毎装置３の斜視図、図５は台毎装置３の構造を模式的に示す側面図である。これらの図４及び図５において、台毎装置３の装置本体６の前面下部には吸込口７が設けられていると共に、前面上部には吹出口８が設けられ、さらに中間部には風量調節釦９が設けられている。装置本体６内には吸込口７と吹出口８とを連通するダクト状のファン収納部１０が設けられている。このファン収納部１０の上部にはファン（送風手段に相当）１１が配置されており、そのファン１１の駆動状態で、吸込口７から吸込まれた空気がファン収納部１０を通じて吹出口８から前方に吹出される。ファン収納部１０の中間部には光触媒ユニット１２が取出可能に装着されている。装置本体６内の底面部には電源基板１３が配置されている。
【００１４】
ファン収納部１０において吸込口７の背面となる部位にはフィルタ装着部１４が形成されており、そのフィルタ装着部１４にフィルタ１５が装着されている。フィルタ１５は、通過する空気に含まれる微粒子、特には煙草の煙に含まれるヤニなどの微粒子を吸着するようになっている。
【００１５】
台毎装置３には会員カード挿入口１６が設けられており、その会員カード挿入口１６に対応してカードユニット１７が内蔵されている。会員カードは、会員登録された遊技者に対してＩＤカードとして発行されるもので、その会員カードを利用して遊技することにより、遊技場が提供する各種サービス（貯玉、再プレイ、情報提供など）を受けることができる。
【００１６】
装置本体６の前面の中間部には表示部（表示手段に相当）１８が設けられている。この表示部１８は、装置本体６の前方方向から対応する遊技台１と反対側へ３０度の範囲で１０度ずつ傾き可能に設けられている。表示部１８はタッチパネルを有しており、会員に対して現在遊技している遊技台１の遊技データ或いは所望の遊技台１の遊技データを表示するもので、これらの遊技データに基づいて遊技台１を選択する目安としたり、現在遊技している遊技台１の遊技を継続するかの判断を行ったりすることが可能となっている。台毎装置３の背面には、管理装置５、或いは中継装置４との間で情報を授受するためのケーブルであり中継装置４の図示しない入出力コネクタに接続されたケーブルを接続する入出力用コネクタ（入力手段に相当）１９が設けられている。
【００１７】
台毎装置３の吹出口８は、図４に示すように高さ方向に細長いスリット状に形成されており、表示部１８の上方となるように高さ方向に表示部１８とはずれて設けられている。これは、台毎装置３の横幅を例えば４０ｍｍに短く設定するためである。また、吹出口８は、表示部１８の回動中心に対して図示右側、つまり対応する遊技台１側にずれて形成されている。具体的には、対応する遊技台１の反対側（対面して左側）の端が、表示部１８を装置本体６に取付けた際の左右方向の中心よりも対応する遊技台１側に配置されている。これは、後述するように吹出口８からの空気の吹出しにより形成するエアカーテンを表示部１８が障害物となることなく形成するためである。
【００１８】
ここで、吹出口８の横幅はスリット状に形成されている。具体的には、横幅寸法が台毎装置３の横幅寸法である４０ｍｍの１／８である例えば５ｍｍに設定されている。これは、装置本体６の横幅寸法に対して２／３程度である従来の吹出口の幅寸法よりも狭く設定することにより、高い風圧による空気の吹出を可能とするためである。また、吹出口８は、高さ方向に例えば２０ｍｍ毎に仕切部８ａで仕切られている。これは、台間玉貸機２にて受付可能な貨幣（１０００円札、５００円硬貨、１００円硬貨）のうち直径が最小の貨幣である１００円硬貨が間違って吹出口８に挿入されることを仕切部８ａにより防止するためである。
【００１９】
図６は、装置本体６の前方方向に対する表示部１８の傾き角度と吹出口８との位置関係を示している。この図６に示すように、表示部１８は０度から３０度までの複数段階（本実施例では１０度ずつの４段階）のうちの任意の傾き角度（図６（ａ）は３０度、（ｂ）は２０度、（ｃ）は１０度、（ｄ）は０度の場合を示している）に位置決め可能であるが、遊技者が表示部１８を実質的に見易い角度は１０度から３０度である。図６（ｄ）に示す傾き角度０度は、実質的には搬送、或いは収納のときに位置決めされる角度で、遊技の際に設定されることはない。従って、表示部１８は、装置本体６の前方方向に対して対応する遊技台１側と反対側へ傾いて設けられていることになる。
【００２０】
図８は台間玉貸機２を示す斜視図である。この図８において、台間玉貸機２は、台毎装置３が会員カードから会員情報を読取った状態で図示しない払出しボタンが操作されたときは、予め貯玉されている遊技媒体数の範囲内で単位玉数のパチンコ玉をノズル２０から遊技台１に払い出すようになっている。尚、紙幣投入口２１に紙幣を投入したり、硬貨投入口２２に硬貨を投入したりすることによっても遊技媒体の払出しが可能となっている。
【００２１】
次に、本発明の要部である台毎装置３の吹出口８の構造について詳述する。
図１は、ファン１１が収納されたファン収納部１０を示す部分断面の斜視図である。この図１において、ファン収納部１０の前面開口部１０ａには通風路２３が当該前面開口部１０ａを閉鎖するように一体に取付けられている。この通風路２３の前面には吹出口８が形成されており、ファン１１により吹出された空気が通風路２３を通過して吹出口８から装置本体６の前方に吹出されるようになっている。この通風路２３の上端部２３ａは、ファン収納部１０の上端と連なるように水平方向（台毎装置３の設置状態の場合）を指向して形成されているのに対して、通風路２３の下端部（傾斜部に相当）２３ｂは、ファン収納部１０の前面開口部１ａの下端位置よりも下方となるように前方斜め下方に傾斜するラッパ状（徐々に傾斜が大きくなっているという意味）に形成されており、通風路２３の上端部２３ａと下端部２３ｂの長さが異なっている。
【００２２】
即ち、通風路２３の側面を示す図２において、通風路２３の下端部２３ｂの前後方向長さＡは、上端部２３ａの前後方向の長さＢよりも長く形成されている。これは、吹出口８から吹出された空気が、吹出口８の上部においてはほぼ前方方向に吹出されるのに対して、吹出口８の下部においては前方下側に向けて吹出されるように設定したためである。
【００２３】
一方、通風路２３において吹出口８の中間部から下端部２３ｂとなる部位は、垂直方向（台毎装置３の設置状態の場合）に対して傾斜するように形成されている。これは、装置本体６の前面形状に合わせたもので、装置本体６の前面から前方に大きく突出した表示部１８に対して意匠的な違和感を解消しつつ、通風路２３の下端部２３ｂの前後方向の長さを上端部２３ａの前後方向の長さよりも長くすることを可能とするためで、前方下方向への吹出しを維持するために通風路２３の下端部２３ｂの傾斜を有効活用することができる。
【００２４】
以上のような構成により、図２に示すように台毎装置３の吹出口８から吹出される空気は、前方方向から前方下方向に渡って吹出され、その範囲でエアカーテンが効果的に形成されることになる。このようにエアカーテンの範囲を規定した理由は、遊技台島へ台毎装置３を設置した際に、吹出口８の上端は遊技者の頭よりも高い位置となるため、吹出口８の上端よりも上に空気を吹出すことは無駄な吹出しとなるからである。一方、吹出口８の下端は遊技者の顎の辺りに位置するため、遊技台１の灰皿１ａに煙草を置いているときは勿論、遊技者が煙草をくわえているときであっても、その煙が隣へと漂っていくことから、吹出口８の下端より下側へ向けてエアカーテンを形成する必要があるからである。また、前方方向から前方下方向に渡って広範囲に空気を吹出すために、上部は水平に空気を吹出すように吹出口８を形成すると共に、ファン１１による風量を維持しながら高い風圧を可能とするためにスリット状に形成することで、吹出口８の下部から前方下方向へ空気を吹出すことを可能とした。このように無駄な空気の吹出しを抑えながら、空気の吹出し方向を制御することにより、エアカーテンを広範囲に渡って効果的に形成することができる。
【００２５】
図７は、台毎装置３の構成を示す機能ブロック図である。この図７において、台毎装置３は制御装置２４を主体として構成されている。制御装置２４は、風量調節釦９から操作信号を受けると、ファン１１の回転数を調整することによりその風量を「通常」→「強」→「切」→「通常」と順に切り替える。また、制御装置２４は、会員による操作に応じて現在遊技している遊技台１の遊技データ或いは所望の遊技台１の遊技データを管理装置５から入力した場合は、入力したデータを表示部１８に表示する。
【００２６】
さて、台毎装置３に電源が投入された状態で風量調節釦９に対する押下操作により「切」以外が設定されると、ファン１１が駆動されて設定された風量を送風するようになる。すると、吸込口７から空気が吸込まれ、空気中に含まれる塵や埃がフィルタ１５で除去されてから、ファン収納部１０及び通風路２３を通過して吹出口８から前方に吹出される。このとき、吹出口８により空気通路が絞られているので、吹出口８から吹出される風圧を高めることができる。
【００２７】
ここで、通風路２３の下端部２３ｂは、前方下方向に傾斜して形成されているので、吹出口８からは下端部２３ｂの傾斜方向にも吹出される。これにより、図２に示すように吹出口８から装置本体６の前方における前方方向から前方下方向に渡って吹出されるので、前方方向から前方下方向の広範囲に渡ってエアカーテンを形成することができる。
【００２８】
ところで、上述したようにエアカーテンを前方方向から前方下方向に渡って形成したことから、吹出口８の下方に設けられている表示部１８がエアカーテンの形成に邪魔になる虞があるものの、本実施例では、吹出口８を表示部１８に対して対応する遊技台１側にずらして設けるようにしたので、表示部１８がエアカーテンの形成に邪魔となることを防止できる。この場合、表示部１８が図６に示すように０度から３０度の範囲で装置本体６の前方方向から対応する遊技台１の反対方向に傾き可能であるにしても、表示部１８が装置本体６の前方方向から対応する遊技台１側に傾くことはないので、表示部１８の傾き角度にかかわらずエアカーテンを確実に形成することができる。
【００２９】
このような実施例によれば、遊技台１に対応して設けられた台毎装置３の吹出口８から空気を吹出すことによりエアカーテンを装置本体６の前方に形成する構成において、ファン収納部１０の前面開口部１０ａに取付けられた通風路２３の形状を工夫することにより、前方方向から前方下方向に渡って広範囲にエアカーテンを形成しながら、エアカーテンを形成するための吹出口８を、表示部１８に対して対応する遊技台１側にずらして設けるようにしたので、吹出口８を表示部１８に対して対応する遊技台１と反対側（図示左側）となる部位に設ける構成と違って、遊技者が表示部１８を見易い傾き角度に操作した場合であっても、表示部１８が吹出口８により形成されるエアカーテンの障害物となることを確実に防止できる。
【００３０】
しかも、吹出口８を、台間玉貸機２に投入可能な貨幣のうち最小の直径である１００円硬貨の直径よりも短い寸法で高さ方向に仕切部８ａにより仕切るようにしたので、遊技者が台間玉貸機２に投入しようとする１００円硬貨を誤って吹出口８に挿入しようとするにしても、１００円硬貨が吹出口８に誤って挿入されてしまうことを確実に防止できる。
【００３１】
（変形例）
本発明は、上記実施例に限定されることなく、次のように変形または拡張できる。
スリット状に形成された吹出口８を表示部１８よりも対応する遊技台１側にずらして配置しさえすれば、図９に示すように、表示部１８の上方に設けた幅広な吹出口２５の図示右側下部をスリット状に下方に延設し、そのスリット部２５ａを表示部１８の横側に位置するようにしてもよい。つまり、吹出口８全体がスリット状に形成されなくとも、吹出口８の一部がスリット状に形成されていればよい。
この場合、図９に示すようにスリット部２５ａの下端が表示部１８の下端よりも下方となるように形成してもよい。
【００３２】
台毎装置３は、対応する遊技台１に向かって左側に設けるようにしたが、対応する遊技台１の右側に設けるようにしてもよい。この場合、吹出口８は表示部１８よりも対応する遊技台１側である左側に配置する必要がある。
吹出口８を表示部１８より下方に配置してもよい。この場合、通風路２３の上端部２３ａをラッパ状に傾斜させ、前方方向から表示部１８が配置される上方向に渡って広範囲に空気を吹出すように構成する。
【００３３】
表示部１８が配置される方向と反対側、実施例上は上方向の吹出を前方方向としたが、大きな風圧を形成可能であれば、上方向に対しても吹出すことによりエアカーテンを上下方向に形成するようにしてもよい。
通風路２３の下端部２３ｂの形状はラッパ状に限定されることはなく、直線的に形成してもよい。
台毎装置３に台間玉貸機能などの他の機能を追加するようにしてもよい。
表示部１８は、前方方向に対して対応する遊技台１と反対側に傾いておれば、例えば３０度に固定した固定式に構成してもよい。
【図面の簡単な説明】
【００３４】
【図１】本発明に一実施例におけるファン収納部の上部を示す台毎装置の部分断面斜視図
【図２】ファン収納部の先端に取付けられた通風路を示す側面図
【図３】システムの構成を概略的に示す図
【図４】台毎装置の斜視図
【図５】台毎装置の内部構造を模式的に示す側面図
【図６】異なる傾きの表示部と吹出口との位置関係を示す図
【図７】台毎装置を示す機能ブロック図
【図８】台間玉貸機の斜視図
【図９】本発明のその他の実施例を示す台毎装置の要部の斜視図
【符号の説明】
【００３５】
図面中、１は遊技台、２は台間玉貸機（遊技媒体貸出装置）、３は遊技場用台毎装置、６は装置本体、８は吹出口、８ａは仕切部、１１はファン（送風手段）、１８は表示部（表示手段）、１９はコネクタ（入力手段）、２３は通風路、２３ｂは下端部（傾斜部）である。
【図１】
2008086342.tif 000003
【図２】
2008086342.tif 000004
【図３】
2008086342.tif 000005
【図４】
2008086342.tif 000006
【図５】
2008086342.tif 000007
【図６】
2008086342.tif 000008
【図７】
2008086342.tif 000009
【図８】
2008086342.tif 000010
【図９】
2008086342.tif 000011